(57)【要約】【課題】送風機やエアーフィルタの交換に要する時間を短縮すると共に、交換作業を簡素化するようにした空冷式のテレビ送信機を提供する。【解決手段】空気を吸入して発熱機器に送風する送風機（４）と、吸入空気に含まれる粉塵を除去するエアーフィルタ（２１，２３Ｒ，２３Ｌ）とを、テレビ送信機に着脱自在な送風機ボックス（３）に収容することで、送風機（４）とエアーフィルタ（２１，２３Ｒ，２３Ｌ）の交換を、送風機ボックス（３）を交換することによって一度に（同時に）行う。【選択図】図４
2007142718.tif 000002
【特許請求の範囲】
【請求項１】
搭載された発熱機器を空気で冷却する空冷式のテレビ送信機において、
前記空気を吸入して前記発熱機器に送風する送風機と、
前記吸入される空気に含まれる粉塵を除去するエアーフィルタと、
前記送風機と前記エアーフィルタを収容すると共に、前記テレビ送信機に着脱自在な送風機ボックスと、
を備えることを特徴とするテレビ送信機。
【請求項２】
請求項１に記載のテレビ送信機において、
前記送風機から送風された空気を前記発熱機器に導くダクトと、
前記送風機ボックスに設けられる開口部と、
前記開口部から前記送風機ボックスの外方に突出される前記送風機の送風口と、
を備えると共に、前記送風機は、前記送風機ボックスの外方に突出された送風口を前記ダクトに挿入することによって前記ダクトに接続されることを特徴とするテレビ送信機。
【請求項３】
請求項１または２に記載のテレビ送信機において、
前記エアーフィルタは、前記送風機と独立して前記送風機ボックスに着脱自在とされることを特徴とするテレビ送信機。
【請求項４】
請求項１から３のいずれかに記載のテレビ送信機において、
前記エアーフィルタを複数個備えると共に、前記複数個のエアーフィルタのそれぞれが前記テレビ送信機の一つの面から着脱自在とされることを特徴とするテレビ送信機。
【請求項５】
請求項１から４のいずれかに記載のテレビ送信機において、
前記エアーフィルタは前記送風機ボックスに設けられた吸気口に取り付けられると共に、前記送風機ボックスは、前記エアーフィルタを前記送風機ボックスの内方に傾倒自在に保持するエアーフィルタ保持部を備えることを特徴とするテレビ送信機。
【発明の詳細な説明】
【技術分野】
【０００１】
本発明は、テレビ送信機に関し、より詳しくは、搭載された発熱機器を空気で冷却する空冷式のテレビ送信機に関する。
【背景技術】
【０００２】
例えば特許文献１に記載されるように、搭載された発熱機器（例えばパワーアンプ）を空気で冷却する空冷式のテレビ送信機（放送機）が知られている。従来の空冷式テレビ送信機にあっては、発熱機器に冷却空気を送風する送風機をテレビ送信機の内部に収容すると共に、送信機内に設けられたダクトに送風機をボルトで固定していた。また、テレビ送信機の筐体に設けられた吸気口にエアーフィルタを取り付け、送風機によって吸入される空気に含まれる粉塵を除去するように構成していた。
【特許文献１】特開２００５−７２９６０号公報
【発明の開示】
【発明が解決しようとする課題】
【０００３】
テレビ送信機に搭載される送風機やエアーフィルタは定期的に保守交換されるが、テレビ送信機の運転停止時間を極力短くするため、それらの交換を短時間に、かつ簡易に行えることが望ましい。しかしながら、従来のテレビ送信機にあっては、送風機の交換とエアーフィルタの交換を個別に行う必要があり、交換に要する時間や作業の簡易性の点で改善の余地を残していた。特に、従来のテレビ送信機では送風機がダクトにボルトで固定されていたため、送風機の交換に時間が掛かると共に、作業が煩雑であった。
【０００４】
従って、この発明の目的は上記した課題を解決し、送風機やエアーフィルタの交換に要する時間を短縮すると共に、交換作業を簡素化するようにした空冷式のテレビ送信機を提供することにある。
【課題を解決するための手段】
【０００５】
上記した課題を解決するため、本発明に係るテレビ送信機にあっては主として、空気を吸入して発熱機器に送風する送風機と、前記吸入される空気に含まれる粉塵を除去するエアーフィルタとを、テレビ送信機に着脱自在な送風機ボックスに収容することを特徴とする。
【発明の効果】
【０００６】
本発明に係るテレビ送信機にあっては、送風機ボックスを交換することによって送風機とエアーフィルタを一度に（同時に）交換することができるため、送風機やエアーフィルタの交換に要する時間を短縮することができると共に、交換作業を簡素化することができる。
【発明を実施するための最良の形態】
【０００７】
以下、本発明に係るテレビ送信機を実施するための最良の形態について、図面を参照して説明する。
【０００８】
図１から図３はそれぞれ、本発明に係るテレビ送信機の内部構造を表す正面図、側面図および背面図である。
【０００９】
図１から図３において、符号１はテレビ送信機（放送機）を示す。テレビ送信機１は、具体的には地上波デジタル放送用の送信機であり、放送信号を入力し、その放送信号を放送信号周波数にアップコンバートすると共に、放送送信電力値でもって送信するために、送信信号を電力増幅する。
【００１０】
テレビ送信機１には、送信信号を電力増幅するための複数個のパワーアンプ（主たる発熱機器。以下「ＰＡ」という）２が搭載される。また、ＰＡ２の下部には、送風機ボックス（ケース）３が配置される。送風機ボックス３は、テレビ送信機１の背面１Ｂから送信機１の内部に収容される。
【００１１】
図２に示すように、送風機ボックス３の内部には、空気を吸入してＰＡ２に送風する送風機４と、送風機４によって吸入される空気（吸気）に含まれる粉塵を除去（濾過）する複数個のエアーフィルタが収容される。送風機４から送風された空気はダクト６を介してＰＡ２に導かれ、ＰＡ２の内部を通過してＰＡ２を冷却した後、ダクト７を介してテレビ送信機１の外部に排出される。尚、図１から図３において、ＰＡ２や送風機ボックス３を除く残余の構成については図示を簡略化、あるいは省略した。
【００１２】
次いで、送風機ボックス３について詳説する。図４は、送風機ボックス３を主な構成要素に分解して表す拡大斜視図である。尚、図４と前述した図２に示す矢印Ａは、テレビ送信機１や送風機ボックス３の前面方向を表す。
【００１３】
図４に示すように、送風機ボックス３は、ベース（底面部）８と、カバー９と、背面カバー１０とを備える。ベース８には、２枚の側板１１が取り付けられ、送風機４は、この２枚の側板１１に支持されてベース８に固定される。送風機４は、シロッコファンであり、その送風口４ａは送風機ボックス３の前面側に向けられる。
【００１４】
カバー９は、前面部９Ｆと側面部９Ｒ，９Ｌと上面部９Ｕとからなり、背面側と底面側が開口される。カバー９の前面部９Ｆと側面部９Ｒ，９Ｌはベース８にネジ止めされ、上面部９Ｕは側板１１の上端にネジ止めされる。
【００１５】
背面カバー１０は、その下端がヒンジ（蝶番）１２を介してベース８に取り付けられる。また、背面カバー１０の上端にはフック１３が設けられ、かかるフック１３はカバー９の上面部９Ｕに設けられた止め具（パチン錠）１４によって係止される。背面カバー１０は、フック１３が止め具１４に係止されることにより、送風機ボックス３の背面を閉鎖する一方、フック１３と止め具１４の係止が解除されることにより、ヒンジ１２を回転軸として送風機ボックス３の後方側に傾倒し、カバー９の背面を開放する（送風機ボックス３の後方側に傾倒された背面カバー１０を図２に破線で示す）。
【００１６】
カバー９の上面部９Ｕには、コネクタ１５と取手１６が設けられる。送風機４は、コネクタ１５および図示しない配線を介し、送信機１の適宜位置に搭載された制御部（図示せず）に接続されてその動作が制御される。また、取手１６は、送風機ボックス３の運搬時に作業者が把持するためのものであり、使用しないときは上面部９Ｕに沿うように傾倒させることができる。
【００１７】
カバー９の前面部９Ｆには、開口部１７が設けられる。開口部１７には、送風機４の送風口４ａが隙間なく挿通される。開口部１７に挿通された送風口４ａは、送風機ボックス３の外方（前方）に突出される。また、カバー９の側面部９Ｒ，９Ｌの後端付近には、フランジ部１８Ｒ，１８Ｌが形成される。各フランジ部１８Ｒ，１８Ｌには、取手１９Ｒ，１９Ｌが設けられる。
【００１８】
背面カバー１０には吸気口２０が形成され、そこにメイン・エアーフィルタ２１が取り付けられる。さらに、カバー９の側面９Ｒ，９Ｌにはそれぞれ吸気口２２Ｒ，２２Ｌが形成され、各吸気口２２Ｒ，２２Ｌにはそれぞれサブ・エアーフィルタ２３Ｒ，２３Ｌが取り付けられる。図示の如く、メイン・エアーフィルタ２１およびサブ・エアーフィルタ２３Ｒ，２３Ｌは、いずれも板状（面状）のエアーフィルタである。尚、図で符号２４Ｒは、送風機ボックス３をテレビ送信機１に固定するためのツマミネジである。
【００１９】
次いで、背面カバー１０の構造について詳説する。図５は背面カバー１０の拡大斜視図である。図５に示すように、背面カバー１０にはエアーフィルタ保持部３０が取り付けられる。
【００２０】
図６はエアーフィルタ保持部３０を分解して表す拡大斜視図である。図５および図６に示すように、エアーフィルタ保持部３０は、メイン・エアーフィルタ２１の外周を保持する枠（額）状を呈する。エアーフィルタ保持部３０は、その一端（上端）に開口部３０ａが設けられ、かかる開口部３０ａからメイン・エアーフィルタ２１が挿入される。エアーフィルタ保持部３０は、開口部３０ａと対向する端部（下端）が背面カバー１０の内面（具体的には吸気口２０の下部）にヒンジ３１を介して接続され、かかるヒンジ３１を回転軸として送風機ボックス３の内方に傾倒自在とされる。即ち、エアーフィルタ保持部３０は、メイン・エアーフィルタ２１を送風機ボックス３の内方に傾倒自在に支持する。
【００２１】
また、エアーフィルタ保持部３０において開口部３０ａの付近にはフランジ部３２が取り付けられ、フランジ部３２にはフィルタ押さえ板３３がツマミネジ３４によって取り付けられる。フィルタ押さえ板３３の上面には第１の固定用部材３５が取り付けられ、第１の固定用部材３５には凹部３６が形成される。また、背面カバー１０の内面（具体的には吸気口２０の上部）には第２の固定用部材３７が取り付けられ、第２の固定用部材３７には進退自在な凸部（具体的には、進退および回転自在なローラ部）３８が設けられる。
【００２２】
エアーフィルタ保持部３０およびメイン・エアーフィルタ２１は、第２の固定用部材３７の凸部３８を第１の固定用部材３５の凹部３６に係止させることにより、吸気口２０を覆う位置に固定される。逆に、凸部３８と凹部３６の係止を解除することにより、エアーフィルタ保持部３０およびメイン・エアーフィルタ２１は送風機ボックス３の内方に傾倒される。
【００２３】
フィルタ押さえ板３３には長孔３９が形成され、かかる長孔３９にツマミネジ３４が挿通される。従って、凸部３８と凹部３６の係止を解除した上で、ツマミネジ３４を緩めることで、長孔３９の範囲内でフィルタ押さえ板３３をスライドさせることができる。図５および図７に示すように、フィルタ押さえ板３３をスライドさせることにより、エアーフィルタ保持部３０の開口部３０ａは閉鎖あるいは開放させられる。尚、ツマミネジ３４は、作業者が指で把持して、あるいはネジ頭に設けられた凹部にコインなどを差し込んで、例えば半回転から１回転程度（あるいはそれ以上であってもよい）回転させることでフィルタ押さえ板３３がスライド可能な程度まで緩めることができる。また、ツマミネジ３４の形状は、図示のものに限らず、例えば蝶ネジなどであってもよい。
【００２４】
メイン・エアーフィルタ２１をエアーフィルタ保持部３０に挿入する、あるいはエアーフィルタ保持部３０から取り外す場合は、先ず、前述したフック１３と止め具１４の係止を解除して背面カバー１０を送風機ボックス３の後方側に開放する。次いで、凸部３８と凹部３６の係止を解除し、エアーフィルタ保持部３０を背面カバー１０に対して傾斜させる。そして、ツマミネジ３４を緩め、エアーフィルタ保持部３０の開口部３０ａが開放されるようにフィルタ押さえ板３３をスライドさせる。一方、メイン・エアーフィルタ２１をエアーフィルタ保持部３０に固定する際は、メイン・エアーフィルタ２１を開口部３０ａからエアーフィルタ保持部３０に挿入した後、開口部３０ａが閉鎖するようにフィルタ押さえ板３３をスライドさせ、ツマミネジ３４を締める。尚、背面カバー１０は送風機ボックス３の後方側に開放されることから、上記した一連の作業（メイン・エアーフィルタ２１の着脱作業）は、全て送風機ボックス３の後方側から行うことができる。
【００２５】
次いで、カバー９の構造について詳説する。図８および図９は、カバー９の拡大斜視図である。
【００２６】
図８および図９に示すように、カバー９の側面部９Ｌの内面には、エアーフィルタ保持部４０Ｌが設けられる。フィルタ保持部４０Ｌは、サブ・エアーフィルタ２３Ｌの外周を保持する枠（額）状を呈する。エアーフィルタ保持部４０Ｌは、その後方側（背面側）の端部に開口部４０Ｌａが形成され、そこからサブ・エアーフィルタ２３Ｌが挿入される。同様に、カバー９の側面部９Ｒの内面にはエアーフィルタ保持部４０Ｒが設けられる。エアーフィルタ保持部４０Ｒもその後方側の端部が開口され、そこからサブ・エアーフィルタ２３Ｒが挿入される。
【００２７】
エアーフィルタ保持部４０Ｌの後方側の端部には、フランジ部４１Ｌが設けられる。フランジ部４１Ｌには、フィルタ押さえ板４２Ｌがツマミネジ４３Ｌによって取り付けられる。フィルタ押さえ板４２Ｌには長孔４４Ｌが形成され、かかる長孔４４Ｌにツマミネジ４３Ｌが挿通される。従って、ツマミネジ４３Ｌを緩めることで、フィルタ押さえ板４２Ｌを長孔４４Ｌの範囲内でスライドさせることができる。図４および図９に示すように、フィルタ押さえ板４２Ｌをスライドさせることにより、エアーフィルタ保持部４０Ｌの開口部４０Ｌａが閉鎖あるいは開放させられる。
【００２８】
サブ・エアーフィルタ２３Ｌをエアーフィルタ保持部４０Ｌに挿入する、あるいはエアーフィルタ保持部４０Ｌから取り外すときは、背面カバー１０を送風機ボックス３の後方側に開放した後、ツマミネジ４３Ｌを緩め、エアーフィルタ保持部４０Ｌの開口部４０Ｌａが開放されるようにフィルタ押さえ板４２Ｌをスライドさせる。一方、サブ・エアーフィルタ２３Ｌをエアーフィルタ保持部４０Ｌに固定する際は、サブ・エアーフィルタ２３Ｌを開口部４０Ｌａからエアーフィルタ保持部４０Ｌに挿入した後、開口部４０Ｌａが閉鎖するようにフィルタ押さえ板４２Ｌをスライドさせ、ツマミネジ４３Ｌを締める。尚、サブ・エアーフィルタ２３Ｌが挿入される開口部４０Ｌａはエアーフィルタ保持部４０Ｌの後方側に設けられることから、上記した一連の作業（サブ・エアーフィルタ４０Ｌａの着脱作業）は、全て送風機ボックス３の後方側から行うことができる。
【００２９】
また、図示は省略するが、エアーフィルタ保持部４０Ｒの後方側の端部（開口部）にも、エアーフィルタ保持部４０Ｌに関して説明したのと同様なフランジ部、フィルタ押さえ板、およびツマミネジが取り付けられ、サブ・エアーフィルタ２３Ｒの着脱もサブ・エアーフィルタ２３Ｌと同様に行われる。尚、サブ・エアーフィルタ２３Ｒ，２３Ｌの着脱に使用される各ツマミネジも、上述したツマミネジ３４と同様に、作業者が指で把持して、あるいはネジ頭に設けられた凹部にコインなどを差し込んで、例えば半回転から１回転程度（あるいはそれ以上）回転させることでフィルタ押さえ板がスライド可能な程度まで緩めることができ、その形状は図示のものに限らず、例えば蝶ネジなどであってもよい。
【００３０】
このように、本実施例にあっては、送風機ボックス３の複数の面（背面と両側面）に吸気口２０，２２Ｒ，２２Ｌを設け、各吸気口２０，２２Ｒ，２２Ｌにエアーフィルタを取り付けるようにした。これは、空気の吸入面積を拡大することで、送風時の圧力損失を低下させるためである。
【００３１】
次いで、テレビ送信機１への送風機ボックス３の取り付けについて説明する。
【００３２】
図２および図３に示すように、送風機ボックス３はテレビ送信機１の背面１Ｂから送信機１の内部に収容（挿入）される。このとき、送風機ボックス３から突出された送風口４ａは、図２に示すように、ダクト６に設けられた開口部６ａに挿入される。これにより、送風機４はダクト６に接続される。尚、開口部６ａに、送風口４ａを案内するガイドなどを設けてもよい。また、送信機１内における送風機ボックス３の移動（前後方向（挿入方向）の移動）は、取手１９Ｒ，１９Ｌを把持して行われる。
【００３３】
テレビ送信機１に収容された送風機ボックス３は、図３に示すように、フランジ部１８Ｒ，１８Ｌがツマミネジ２４Ｒ，２４Ｌによって送信機１に固定される。ツマミネジ２４Ｒ，２４Ｌは、作業者が指で把持して、あるいはネジ頭に設けられた凹部にコインなどを差し込んで、例えば半回転から１回転程度（あるいはそれ以上）回転させることでフランジ部１８Ｒ，１８Ｌとテレビ送信機１の締結を行うことができ、その形状は図示のものに限らず、例えば蝶ネジなどであってもよい。
【００３４】
尚、図示は省略するが、テレビ送信機１の背面１Ｂには開閉自在なカバーが設けられ、かかるカバーにおいてメイン・エアーフィルタ２１に対峙する部位には吸気用の開口部が形成されると共に、適宜位置には複数のスリットが設けられる。
【００３５】
送風機４とエアーフィルタ２１，２３Ｒ，２３Ｌを保守交換する場合は、送信機１に装着された送風機ボックス３を予備の送風機ボックスに交換することで、作業が完了する。また、メイン・エアーフィルタ２１とサブ・エアーフィルタ２３Ｒ，２３Ｌは、送風機ボックス３の後方側から送風機４とはそれぞれ独立して着脱自在とされるため、エアーフィルタ２１，２３Ｒ，２３Ｌの交換は、送信機１の背面１Ｂから（即ち一つの面から）、送風機ボックス３を送信機１に装着したまま（さらには、送風機４と送信機１の運転を継続したまま）行うことができる。
【００３６】
また、エアーフィルタ２１，２３Ｒ，２３Ｌに目詰まりが生じた場合、送風機４の吸引力により、エアーフィルタ保持部３０側に設けられた第１の固定用部材３５の凹部３６と、背面カバー１０側に設けられた第２の固定用部材３７の凸部３８との係止が解除され、エアーフィルタ保持部３０とメイン・エアーフィルタ２１が送風機ボックス３の内方に傾倒される（傾倒したエアーフィルタ保持部３０を図２に破線で示す）。メイン・エアーフィルタ２１が送風機ボックス３の内方に傾倒することにより、背面カバー１０に設けられた吸気口２０とメイン・エアーフィルタ２１の間に隙間が形成され、送風機ボックス３の内部に空気が流入し、ＰＡ２への冷却空気の供給が継続される。尚、メイン・エアーフィルタ２１が目詰まりした場合、送風機４の吸引力によってメイン・エアーフィルタ２１を自動的に傾倒させることもできるが、メイン・エアーフィルタ２１を外部から押すことで、手動で傾倒させることも可能である。
【００３７】
以上のように、本発明に係るテレビ送信機１にあっては、空気を吸入してＰＡ２に送風する送風機４と、吸入空気に含まれる粉塵を除去するエアーフィルタ２１，２３Ｒ，２３Ｌとを、テレビ送信機１に着脱自在な送風機ボックス３に収容するように構成したので、送風機ボックス３を交換することによって、送風機４とエアーフィルタ２１，２３Ｒ，２３Ｌの交換を一度に（同時に）行うことができる。そのため、送風機４とエアーフィルタ２１，２３Ｒ，２３Ｌの交換に要する時間を短縮することができると共に、交換作業を簡素化することができる。
【００３８】
また、送風機４から送風された空気をＰＡ２に導くダクト６と、送風機ボックス３に設けられた開口部１７から送風機ボックス３の外方に突出される送風機４の送風口４ａとを備え、送風機ボックス３の外方に突出された送風口４ａをダクト６に挿入することによって送風機４とダクト６を接続するように構成したので、送風機４とダクト６の接続作業を簡素化することができると共に、送風機ボックス３の交換に要する時間を短縮することができる。
【００３９】
また、エアーフィルタ２１，２３Ｒ，２３Ｌを送風機４とは独立して送風機ボックス３に着脱自在としたので、送風機ボックス３をテレビ送信機１に装着したまま、さらには送風機４とテレビ送信機１の運転を継続したまま、エアーフィルタ２１，２３Ｒ，２３Ｌの交換を行うことができる。
【００４０】
また、複数個のエアーフィルタ２１，２３Ｒ，２３Ｌのそれぞれをテレビ送信機１の一つの面（背面１Ｂ）から着脱自在としたので、エアーフィルタ２１，２３Ｒ，２３Ｌの交換作業を簡素化することができると共に、テレビ送信機１の周囲に確保すべきメンテナンス用のスペースを最小限にすることができる。
【００４１】
また、送風機ボックス３（具体的には背面カバー１０）の吸気口２０にメイン・エアーフィルタ２１を取り付けると共に、メイン・エアーフィルタ２１を送風機ボックス３の内方に傾倒自在に保持するエアーフィルタ保持部３０を設けるように構成したので、エアーフィルタ２１，２３Ｒ，２３Ｌに目詰まりが生じた場合、送風機４の吸引力によってエアーフィルタ２１を送風機ボックス１の内方に傾倒させ、吸気口２０とエアーフィルタ２１の間に隙間を生じさせることができる。そのため、エアーフィルタ２１，２３Ｒ，２３Ｌに目詰まりが生じても送風機ボックス１内に空気を流入させることができ、ＰＡ２への冷却空気の供給を継続することが可能となる。
【００４２】
尚、上記実施例において、送風機４をシロッコファンとしたが、他の形式の送風機であってもよい。また、送風機ボックス３に取り付けるエアーフィルタの数を３個としたが、１個または２個であってもよいし、４個以上であってもよい。
【００４３】
さらに、メイン・エアーフィルタ２１と同様に、サブ・エアーフィルタ２３Ｒ，２３Ｌも送風機ボックス１の内方に傾倒自在としてもよい。また、送風機４で冷却する発熱機器の例としてパワーアンプＰＡを挙げたが、パワーアンプ以外の発熱機器を冷却してもよいのはいうまでもない。
【図面の簡単な説明】
【００４４】
【図１】本発明に係るテレビ送信機の内部構造を表す正面図である。
【図２】図１に示すテレビ送信機の側面図である。
【図３】図１に示すテレビ送信機の側面図である。
【図４】図２に示す送風機ボックスを主な構成要素に分解して表す拡大斜視図である。
【図５】図４に示す背面カバーの拡大斜視図である。
【図６】図５に示すエアーフィルタ保持部を分解して表す拡大斜視図である。
【図７】図４に示す背面カバーの拡大斜視図である。
【図８】図４に示すカバーの拡大斜視図である。
【図９】図４に示すカバーの拡大斜視図である。
【符号の説明】
【００４５】
１：テレビ送信機、  ２：ＰＡ（発熱機器）、  ３：送風機ボックス、  ４：送風機、  ４ａ：送風口、  ６：ダクト、  １０：背面カバー、  １７：開口部、  ２０，２２Ｒ，２２Ｌ：吸気口、２１，２３Ｒ，２３Ｌ：エアーフィルタ、  ３０，４０Ｒ，４０Ｌ：エアーフィルタ保持部
【図１】
2007142718.tif 000003
【図２】
2007142718.tif 000004
【図３】
2007142718.tif 000005
【図４】
2007142718.tif 000006
【図５】
2007142718.tif 000007
【図６】
2007142718.tif 000008
【図７】
2007142718.tif 000009
【図８】
2007142718.tif 000010
【図９】
2007142718.tif 000011